【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
警備対象を構成する複数の警備区域毎に警備モードを設定可能な警備装置と通信し、前記警備対象の利用者による前記警備モードの変更履歴を表示可能な携帯端末であって、
前記警備区域毎の前記警備モードの切替に対応する切替メッセージを少なくとも含む複数の区域メッセージを時系列で表示する、前記各警備区域に対応したチャット画面と、前記複数の警備区域それぞれに対応する複数の表示欄をリスト表示するリスト画面とを切替可能に表示する表示制御手段を有し、
前記表示制御手段は、
ユーザ操作により前記リスト画面上でいずれかの表示欄が選択されると、当該リスト画面から、当該選択された表示欄に対応する前記警備区域の前記チャット画面に表示画面を切替え、
前記リスト画面の各表示欄には、当該各表示欄に対応する各警備区域の現在の警備モードを示す情報を表示する
携帯端末。
【請求項２】
請求項１に記載の携帯端末であって、
前記警備装置から、前記警備モードが切替えられた前記警備区域の情報及び当該切替後の警備モードの情報を含む切替情報を受信する通信手段を更に具備し、
前記表示制御手段は、
前記リスト画面において、前記切替情報を基に、前記表示欄のうち前記警備モードが切替えられた警備区域に対応する表示欄の前記警備モードを示す情報を、前記切替えられた警備モードに応じて更新し、
前記切替えられた警備区域に対応する前記チャット画面において、前記切替情報を基に、前記切替えられた警備モードを示す前記切替メッセージを追加表示する
携帯端末。
【請求項３】
請求項２に記載の携帯端末であって、
前記警備装置は、前記携帯端末から切替要求信号を受信した場合に、前記警備モードを切替え、その切替結果を示す前記切替情報を前記携帯端末へ送信し、
前記表示制御手段は、ユーザから前記警備区域毎の前記警備モードの切替操作を受け付ける操作画面と、前記チャット画面と、前記リスト画面と、を切替可能に表示し、
前記通信手段は、前記操作画面に対する前記ユーザの切替操作に応じて、前記警備モードの前記切替要求信号を前記警備装置へ送信し、
前記表示制御手段は、前記切替操作に応じて、前記操作画面から、当該切替操作の対象となった警備区域の前記チャット画面に切替え、前記切替情報を基に、前記切替メッセージを追加表示する
携帯端末。
【請求項４】
請求項２に記載の携帯端末であって、
前記警備装置は、前記携帯端末から切替要求信号を受信した場合に、前記警備モードを切替え、その切替結果を示す前記切替情報を前記携帯端末へ送信し、
前記表示制御手段は、ユーザから前記警備区域毎の前記警備モードの切替操作を受け付ける操作画面と、前記チャット画面と、前記リスト画面と、を切替可能に表示し、
前記通信手段は、前記操作画面に対する前記ユーザの切替操作に応じて、前記警備モードの前記切替要求信号を前記警備装置へ送信し、
前記表示制御手段は、前記切替操作に応じて、当該操作画面から前記リスト画面へ切替え、前記切替情報を基に、当該リスト画面の前記表示欄のうち前記切替操作の対象となった警備区域に対応する表示欄の前記警備モードを示す情報を更新する
携帯端末。
【請求項５】
請求項１乃至４のいずれかに記載の携帯端末であって、
前記表示制御手段は、
前記警備区域毎の前記チャット画面に前記切替メッセージが追加表示された場合に、当該切替メッセージを、当該警備区域に対応する前記リスト画面の前記表示欄に表示し、
前記切替メッセージが表示された前記チャット画面に前記切替メッセージ以外のメッセージが追加表示された場合に、前記警備区域に対応する前記リスト画面の前記表示欄における最新の前記切替メッセージの表示を維持する
携帯端末。
【請求項６】
警備対象を構成する複数の警備区域毎に警備モードを設定可能な警備装置と、
前記警備装置と通信し前記警備対象の利用者による前記警備モードの変更履歴を表示可能な携帯端末と
を具備する警備システムであって、
前記携帯端末は、前記警備区域毎の前記警備モードの切替に対応する切替メッセージを少なくとも含む複数の区域メッセージを時系列で表示する、前記各警備区域に対応したチャット画面と、前記複数の警備区域それぞれに対応する複数の表示欄をリスト表示するリスト画面とを切替可能に表示する表示制御手段を有し、
前記表示制御手段は、
ユーザ操作により前記リスト画面上でいずれかの表示欄が選択されると、当該リスト画面から、当該選択された表示欄に対応する前記警備区域の前記チャット画面に表示画面を切替え、
前記リスト画面の各表示欄には、当該各表示欄に対応する各警備区域の現在の警備モードを示す情報を表示する
警備システム。
【請求項７】
警備対象を構成する複数の警備区域毎に警備モードを設定可能な警備装置と通信し、前記警備対象の利用者による前記警備モードの変更履歴を表示可能な携帯端末に、
前記警備区域毎の前記警備モードの切替に対応する切替メッセージを少なくとも含む複数の区域メッセージを時系列で表示する、前記各警備区域に対応したチャット画面と、前記複数の警備区域それぞれに対応する複数の表示欄をリスト表示するリスト画面とを切替可能に表示するステップと、
ユーザ操作により前記リスト画面上でいずれかの表示欄が選択されると、当該リスト画面から、当該選択された表示欄に対応する前記警備区域の前記チャット画面に表示画面を切替えるステップと、
前記リスト画面の各表示欄には、当該各表示欄に対応する各警備区域の現在の警備モードを示す情報を表示するステップと
を実行させるプログラム。
【請求項８】
警備対象を構成する複数の警備区域毎に警備モードを設定可能な警備装置と通信し、前記警備対象の利用者による前記警備モードの変更履歴を表示可能な携帯端末による表示方法であって、
前記警備区域毎の前記警備モードの切替に対応する切替メッセージを少なくとも含む複数の区域メッセージを時系列で表示する、前記各警備区域に対応したチャット画面と、前記複数の警備区域それぞれに対応する複数の表示欄をリスト表示するリスト画面とを切替可能に表示し、
ユーザ操作により前記リスト画面上でいずれかの表示欄が選択されると、当該リスト画面から、当該選択された表示欄に対応する前記警備区域の前記チャット画面に表示画面を切替え、
前記リスト画面の各表示欄には、当該各表示欄に対応する各警備区域の現在の警備モードを示す情報を表示する
表示方法。
【手続補正２】
【補正対象書類名】明細書
【補正対象項目名】０００６
【補正方法】変更
【補正の内容】
【０００６】
上記目的を達成するため、本発明の一形態に係る携帯端末は、警備対象を構成する複数の警備区域毎に警備モードを設定可能な警備装置と通信し、上記警備対象の利用者による上記警備モードの変更履歴を表示可能な携帯端末であって、表示制御手段を有する。上記表示制御手段は、上記警備区域毎の上記警備モードの切替に対応する切替メッセージを少なくとも含む複数の区域メッセージを時系列で表示する、前記各警備区域に対応したチャット画面と、上記複数の警備区域それぞれに対応する複数の表示欄をリスト表示するリスト画面とを切替可能に表示する。また上記表示制御手段は、ユーザ操作により上記リスト画面上でいずれかの表示欄が選択されると、当該リスト画面から、当該選択された表示欄に対応する上記警備区域の上記チャット画面に表示画面を切替え、上記リスト画面の各表示欄には、当該各表示欄に対応する各警備区域の現在の警備モードを示す情報を表示する。
【手続補正３】
【補正対象書類名】明細書
【補正対象項目名】００１０
【補正方法】変更
【補正の内容】
【００１０】
上記警備装置は、上記携帯端末から切替要求信号を受信した場合に、上記警備モードを切替え、その切替結果を示す上記切替情報を上記携帯端末へ送信してもよい。この場合上記表示制御手段は、ユーザから上記警備区域毎の上記警備モードの切替操作を受け付ける操作画面と、上記チャット画面と、上記リスト画面と、を切替可能に表示してもよい。この場合上記通信手段は、上記操作画面に対する上記ユーザの切替操作に応じて、上記警備モードの上記切替要求信号を上記警備装置へ送信してもよい。この場合さらに上記表示制御手段は、上記切替操作に応じて、上記操作画面から、当該切替操作の対象となった警備区域の上記チャット画面に切替え、上記切替情報を基に、上記切替メッセージを追加表示してもよい。
【手続補正４】
【補正対象書類名】明細書
【補正対象項目名】００１６
【補正方法】変更
【補正の内容】
【００１６】
本発明の他の形態に係る警備システムは、警備対象を構成する複数の警備区域毎に警備モードを設定可能な警備装置と、上記警備装置と通信し上記警備対象の利用者による上記警備モードの変更履歴を表示可能な携帯端末とを有する。上記携帯端末は、上記警備区域毎の上記警備モードの切替に対応する切替メッセージを少なくとも含む複数の区域メッセージを時系列で表示する、前記各警備区域に対応したチャット画面と、上記複数の警備区域それぞれに対応する複数の表示欄をリスト表示するリスト画面とを切替可能に表示する表示制御手段を有する。上記表示制御手段は、ユーザ操作により上記リスト画面上でいずれかの表示欄が選択されると、当該リスト画面から、当該選択された表示欄に対応する上記警備区域の上記チャット画面に表示画面を切替え、上記リスト画面の各表示欄には、当該各表示欄に対応する各警備区域の現在の警備モードを示す情報を表示する。
【手続補正５】
【補正対象書類名】明細書
【補正対象項目名】００１７
【補正方法】変更
【補正の内容】
【００１７】
本発明の他の形態に係るプログラムは、警備対象を構成する複数の警備区域毎に警備モードを設定可能な警備装置と通信し、上記警備対象の利用者による上記警備モードの変更履歴を表示可能な携帯端末に、
上記警備区域毎の上記警備モードの切替に対応する切替メッセージを少なくとも含む複数の区域メッセージを時系列で表示する、前記各警備区域に対応したチャット画面と、上記複数の警備区域それぞれに対応する複数の表示欄をリスト表示するリスト画面とを切替可能に表示するステップと、
ユーザ操作により上記リスト画面上でいずれかの表示欄が選択されると、当該リスト画面から、当該選択された表示欄に対応する上記警備区域の上記チャット画面に表示画面を切替えるステップと、
上記リスト画面の各表示欄には、当該各表示欄に対応する各警備区域の現在の警備モードを示す情報を表示するステップと、を実行させる。
【手続補正６】
【補正対象書類名】明細書
【補正対象項目名】００１８
【補正方法】変更
【補正の内容】
【００１８】
本発明の他の形態に係る表示方法は、警備対象を構成する複数の警備区域毎に警備モードを設定可能な警備装置と通信し、上記警備対象の利用者による上記警備モードの変更履歴を表示可能な携帯端末による表示方法であって、
上記警備区域毎の上記警備モードの切替に対応する切替メッセージを少なくとも含む複数の区域メッセージを時系列で表示する、前記各警備区域に対応したチャット画面と、上記複数の警備区域それぞれに対応する複数の表示欄をリスト表示するリスト画面とを切替可能に表示し、
ユーザ操作により上記リスト画面上でいずれかの表示欄が選択されると、当該リスト画面から、当該選択された表示欄に対応する上記警備区域の上記チャット画面に表示画面を切替え、
上記リスト画面の各表示欄には、当該各表示欄に対応する各警備区域の現在の警備モードを示す情報を表示する、ことを含む。
【手続補正７】
【補正対象書類名】明細書
【補正対象項目名】００７１
【補正方法】変更
【補正の内容】
【００７１】
図６及び図７に示すように、チャット画面８０上には、切替メッセージとして、ユーザによるモード切替操作を示す区域メッセージ（モード操作メッセージ８３）と、当該モード切替操作に応じた警備装置１００によるモード切替結果を示す区域メッセージ（モード切替メッセージ８４）とが、異なる領域に区別されて（例えば前者が右側、後者が左側）、対話形式で時系列に表示される。